(57)【要約】【課題】  分解した際に狭い保管場所でよい組立遊具を得る。【解決手段】  複数枚のパネル材同士を釘、ネジ、ボルト及び接着剤を用いないで相互に組み立てて立体構造としたもの。好ましくは、少なくとも一対の立設パネル材と、この立設パネル材の各々に連結して前記立設パネル同士を立設させる連結パネル材とを備えたもの。より好ましくは、所謂「ほぞ」と「ほぞ孔」との連結、「相欠き（渡り欠き）接ぎ」の連結、「落とし掛け」の連結等でパネル同士を連結して立体構造としたもの。【選択図】      図１
2005168813.tif 000002
【特許請求の範囲】
【請求項１】
複数枚のパネル材同士を釘、ネジ、ボルト及び接着剤を用いないで相互に組み立てて立体構造としたことを特徴とする組立遊具。
【請求項２】
前記パネル材として、少なくとも一対の立設パネル材と、この立設パネル材の各々に連結して前記立設パネル同士を立設させる連結パネル材とを備えた請求項１に記載の組立遊具。
【請求項３】
前記立設パネル材と連結パネル材とが、次の連結の何れかによって連結されていることを特徴とする請求項２に記載の組立遊具。
・一方のパネル材にパネル面に沿ってパネル縁に対して突設した突設片と、他方のパネル材に前記突設片が挿入される挿入孔とによる連結、
・連結される各々のパネル材に互いの厚みが入るような溝を形成させ、溝同士を十字に交叉させて組み合わせる連結、
・一方のパネル材にパネル面に沿ってパネル縁に対して突設した突設片が形成され、連結される他方のパネル材には前記突設片が挿入される挿入孔が形成され、突設片には下方向に開いた鉤状に加工され、挿入孔に突設片を挿入して突設片側のパネル材を下げることにより固定する連結、
・一方のパネル材にはパネル面に沿ってパネル縁に対して突設した突設片が形成され、連結される他方のパネル材には前記突設片が挿入される挿入孔が形成され、前記突設片の前記挿入口に挿入された際の突き抜けた先端部分には突き抜けたパネル面と平行な固定用孔と、この固定用孔に嵌合されるかんぬき部材とによる連結、
【請求項４】
前記組立遊具がジャングルジム、滑り台、雲梯、アスレチック遊具から選ばれたものであることを特徴とする請求項１〜３の何れか１項に記載の組立遊具。
【発明の詳細な説明】
【技術分野】
【０００１】
本発明は例えばジャングルジム、滑り台、雲梯（うんてい）、アスレチック遊具等の遊具に関し、特に２〜３人の少人数で組立・分解が可能で、室内で使用可能な組立遊具するものである。
【背景技術】
【０００２】
幼稚園、保育園、児童館等の園庭には、滑り台、ジャングルジム、シーソ、ブランコ等の遊具が敷設されており、晴れた日には、これら遊具で園児達が活発に遊ぶ姿が見られる。しかしながら、雨天の際には、屋外の遊具で遊べない状況があった。特に、梅雨の時季には、長雨によって園庭の至る所に水たまりができ、晴れ間があっても園庭で遊べない日が続くのが常であった。
【０００３】
また、北海道や東北・上越地方等では、冬季に多大な降雪があり、園庭に敷設された遊具自体が雪に埋もれてしまう地方もあり、春の雪解けを待つ必要があった。
【０００４】
そこで、遊技室内で遊べるように室内用の遊具が工夫されている。例えば、室内用の遊具として、腰掛けと台盤を組合せて滑り台、シーソー、あるいは渡り橋として使用するものが提供されている。(例えば、特許文献１参照）
【０００５】
【特許文献１】実公昭５１−１５５８０号公報
【発明の開示】
【発明が解決しようとする課題】
【０００６】
しかしながら、従来の遊具では腰掛けを台盤から外して他の遊具に組換えることは可能であるが、腰掛けと台盤とはそれ以上に分解されることはない。従って、不使用時には、各々を分解することが出来るが、腰掛け及び台盤よりも小さく又は薄く出来ず、それ相応の保管場所が必要となっていた。
【０００７】
本発明は、分解した際に狭い保管場所でよい組立遊具を得ることを目的とする。また、２〜３人の少人数で組立・分解が可能であり、簡単な組み立て手順で組み立てられ、組み立てた遊具は崩れることなく安全に組み立てた状態を維持することが可能な組立遊具を得ることを別の目的とする。更に、種々の遊具に応用することが可能な組立遊具を得ることを更に別の目的とする。
【課題を解決するための手段】
【０００８】
請求項１に記載された発明に係る組立遊具は、複数枚のパネル材同士を釘、ネジ、ボルト及び接着剤を用いないで相互に組み立てて立体構造としたことを特徴とするものである。
【０００９】
請求項２に記載された発明に係る組立遊具は、請求項１に記載のパネル材として、少なくとも一対の立設パネル材と、この立設パネル材の各々に連結して前記立設パネル同士を立設させる連結パネル材とを備えたことを特徴とするものである。
【００１０】
請求項３に記載された発明に係る組立遊具は、請求項２に記載の立設パネル材と連結パネル材とが、次の連結の何れかによって連結されていることを特徴とするものである。
・一方のパネル材にパネル面に沿ってパネル縁に対して突設した突設片と、他方のパネル材に前記突設片が挿入される挿入孔とによる連結、
・連結される各々のパネル材に互いの厚みが入るような溝を形成させ、溝同士を十字に交叉させて組み合わせる連結、
・一方のパネル材にパネル面に沿ってパネル縁に対して突設した突設片が形成され、連結される他方のパネル材には前記突設片が挿入される挿入孔が形成され、突設片には下方向に開いた鉤状に加工され、挿入孔に突設片を挿入して突設片側のパネル材を下げることにより固定する連結、
・一方のパネル材にはパネル面に沿ってパネル縁に対して突設した突設片が形成され、連結される他方のパネル材には前記突設片が挿入される挿入孔が形成され、前記突設片の前記挿入口に挿入された際の突き抜けた先端部分には突き抜けたパネル面と平行な固定用孔と、この固定用孔に嵌合されるかんぬき部材とによる連結、
【００１１】
請求項４に記載された発明に係る組立遊具は、請求項１〜３の何れか１項に記載の組立遊具がジャングルジム、滑り台、雲梯、アスレチック遊具から選ばれたものであることを特徴とするものである。
【発明の効果】
【００１２】
本発明は以上説明した通り、複数枚のパネル材同士を釘、ネジ、ボルト及び接着剤を用いないで相互に組み立てて立体構造とするため、分解した際に狭い保管場所でよい組立遊具を得ることができる。また、少なくとも一対の立設パネル材と、この立設パネル材の各々に連結して前記立設パネル同士を立設させる連結パネル材とからなるため、２〜３人の少人数で組立・分解が可能であり、簡単な組み立て手順で組み立てることができる。更に、組み立てた遊具は崩れることなく安全に組み立てた状態を維持することが可能な組立遊具を得ることができる。更に種々の遊具に応用することが可能な組立遊具を得ることが出来るという効果がある。
【発明を実施するための最良の形態】
【００１３】
本発明においては、複数枚のパネル材同士を釘、ネジ、ボルト及び接着剤を用いないで相互に組み立てて立体構造としたものである。これにより、分解した際に狭い保管場所でよい組立遊具を得ることができる。特に、本発明の組立遊具の好ましい態様としては、ジャングルジム、滑り台、雲梯、アスレチック遊具から選ばれたものであり、種々の遊具に応用することが可能な組立遊具を得ることが出来る。
【００１４】
パネル材同士の相互の組み立ては、好ましくは、少なくとも一対の立設パネル材と、この立設パネル材の各々に連結して前記立設パネル同士を立設させる連結パネル材とからなる。これにより、２〜３人の少人数で組立・分解が可能であり、簡単な組み立て手順で組み立てることができる。
【００１５】
本発明のパネル材の材質としては、組み立てた際に充分な強度を有するパネル材であればよい。例えば、合成樹脂パネル、合成樹脂と紙材との複合パネル等が使用できるが、木質感が得られる木製のパネル材が子供達が常時触れるものとして好ましい。従って、好ましくは、一枚板、集積材、心板・添え心板に単板（ベニア）を使用したベニヤコアー、心板にランバー（挽き板）、表・裏・添え心板に単板を使用したランバーコアー合板、ランバーの代わりにパーティクルボードやＭＦＤ（中比重繊維板）などを使用したボードコアー合板、心板の部分に紙を蜂の巣状等に樹脂加工したもの（ハニカム）を用いた特殊コアー合板（軽量合板）等を用いることができるが、軽量で強度の高い合板、特にランバーコアー合板が好ましい。
【００１６】
パネル材の加工方法としては、合成樹脂のパネル材等では鋳型で成型することにより大量生産が可能である。木製のパネル材等の１つ１つのパネルについて加工しなければならないものでは、レーザ加工法、ルータ加工法等で加工することができる。尚、レーザ加工法はレーザを用いて複雑な形状に切断することができるが、加工費が高価で切断面に黒くカーボンが発生する欠点がある。このため、切断面を研磨してカーボンを除去することが肝要である。一方、ルータ加工法では、ドリルを用いて加工するため、安価でカーボンの発生もないが、挿入孔等の孔の内側角部に曲面が発生する欠点がある。このため、この挿入孔に挿入される突設片の角部も合致するように面取りすることが肝要である。また、レーザ加工法及びルータ加工法のいずれにおいても、挿入孔の突設片が挿入される側の縁部を面取りすることにより、突設片が挿入する際のガイドとして利用する工夫を行っても良い。
【００１７】
本発明の遊具を構成するパネル材同士の連結は、組立と分解とが良好に行えるように一切の釘、ネジ、ボルト及び接着剤を用いないで連結される。例えば、一方のパネル材にパネル面に沿ってパネル縁に対して突設した突設片と、他方のパネル材に前記突設片が挿入される挿入孔とによる所謂「ほぞ」と「ほぞ孔」との連結や、連結される各々のパネル材に互いの厚みが入るような溝を形成させ、溝同士を十字に交叉させて組み合わせる所謂「相欠き（渡り欠き）接ぎ」のような連結や、一方のパネル材にパネル面に沿ってパネル縁に対して突設した突設片が形成され、連結される他方のパネル材には前記突設片が挿入される挿入孔が形成され、突設片には下方向に開いた鉤状に加工され、挿入孔に突設片を挿入して突設片側のパネル材を下げることにより固定する所謂「落とし掛け」のような連結や、一方のパネル材にはパネル面に沿ってパネル縁に対して突設した突設片が形成され、連結される他方のパネル材には前記突設片が挿入される挿入孔が形成され、前記突設片の前記挿入口に挿入された際の突き抜けた先端部分には突き抜けたパネル面と平行な固定用孔と、この固定用孔に嵌合されるかんぬき部材とによる連結などが挙げられる。これにより、２〜３人の少人数で組立・分解が可能であり、簡単な組み立て手順で組み立てられ、組み立てた遊具は崩れることなく安全に組み立てた状態を維持することが可能な組立遊具を得ることが出来る。
【００１８】
パネル材の個々の形状は遊具の種類によって種々変化する。例えば、ジャングルジムでは、１つのパネル材をおおよそ１／４に区画し、少なくとも１つの区画に子供が通過可能な大きさの孔を穿設した立設パネル材を用意し、少なくとも一対、好ましくは二対の立設パネルのほぼ中央高さ位置に第１の連結パネル材で連結する。この第１の連結パネル材についても、１つのパネル材をおおよそ１／４に区画し、少なくとも１つの区画に子供が通過可能な大きさの孔を穿設する。
【００１９】
第１の連結パネル材以外にも立設パネルの上端部に第２の連結パネル材を連結することにより組立遊具のぐらつきがなくなる。この第２の連結パネル材も同様に１／４に区画し、少なくとも１つの区画に子供が通過可能な大きさの孔を穿設する。更に、第１の連結パネル材で区切られた上下の領域を各々２つ又は４つに仕切るように１枚又は十字に組んだ仕切壁材を第１又は第２の連結パネル材や一対又は二対の立設パネル材に連結して設けても良い。この仕切壁材にも仕切られた向こう側へすり抜けられるように孔を穿設する。尚、各パネル材又は仕切壁材に穿設された孔の形状を丸、四角、三角などのように変化させても良い。
【００２０】
即ち、本発明のジャングルジムの好ましい実施態様としては、互いに直行する一対の正面壁板と一対の側面壁板とからなる立設パネル材と、これら４枚の立設パネル材のほぼ中央高さ位置に連結して４枚の立設パネル材で囲まれた空間領域を上下に仕切る仕切床板を備えた連結パネル材とを備える。立設パネル材同士は一方のパネル材にパネル面に沿ってパネル縁に対して突設した突設片と、他方のパネル材に前記突設片が挿入される挿入孔とによって連結され、立設パネルと仕切床板とは一方のパネル材にはパネル面に沿ってパネル縁に対して突設した突設片が形成され、連結される他方のパネル材には前記突設片が挿入される挿入孔が形成され、前記突設片の前記挿入口に挿入された際の突き抜けた先端部分には突き抜けたパネル面と平行な固定用孔と、この固定用孔に嵌合されるかんぬき部材とによって連結される。
【００２１】
また、連結パネル材として４枚の立設パネル材の頂部を覆うように天板を連結する。尚、天板の連結は前述の一方のパネル材にパネル面に沿ってパネル縁に対して突設した突設片と、他方のパネル材に前記突設片が挿入される挿入孔とによる。立設パネル材と連結パネル材とは、１つのパネル材をおおよそ１／４に区画し、４つの区画のうち少なくとも１つの区画に子供が通過可能な大きさの孔を穿設する。また、仕切床板で区切られた上下の領域を各々２つ又は４つに仕切るように１枚又は十字に組んだ仕切壁材を第１又は第２の連結パネル材や一対又は二対の立設パネル材に連結して設ける。この仕切壁材にも仕切られた向こう側へすり抜けられるように孔を穿設する。また、立設パネル材と連結パネル材とに穿設された子供が通過可能な大きさの孔の他にもダミーとして通過できない大きさ、デザインの孔を設ける。尚、各パネル材又は仕切壁材に穿設された孔の形状を丸、四角、三角などのように変化させることもできる。
【００２２】
また、滑り台では滑り板部と階段部とに分けられる。滑り板部では傾斜させて配される滑り板を連結パネル材の１つとして用いる。このため、滑り板部は、滑り板と、滑り板を両側から保持するための側板としての一対の立設パネル材と、補強のための連結パネル材としての天板とを備え、更に階段部との連結のために背板とを備える。
【００２３】
階段部では、複数の階段板と、この階段板を階段状に両側から保持するための側板としての一対の立設パネル材と、連結パネル材としての滑り板部の滑り板へ続く階段部天板と、下部に配される補強連結板とからなる。
【００２４】
即ち、本発明の滑り台の好ましい実施態様としては、傾斜して配される滑り板とこの滑り板を両側面で支持する一対の側壁板とが、滑り板の両側縁に下方に開いた鉤が形成された突設片を側壁板に形成された挿入孔に挿入した後に下方に押し下げられて連結した滑り部と、前記滑り板の上方へ案内する１枚以上の階段板とこの階段板を両側から支持する側板とを備えた階段部とを備える。滑り部と階段部とは各々同じ背板に連結されることにより一体化する。滑り部と階段部との背板への連結は、背板に穿設された挿入孔へ挿入される突設片が滑り部と階段部とに形成され、この突設片には下方向に開いた鉤状に加工され、挿入孔に突設片を挿入して突設片側のパネル材を下げることにより行われる。
【００２５】
更に、雲梯では、ハシゴ部とこれを支持する２つの土台部とに分けられる。ハシゴ部は立設パネル材としての内外２枚あわせの側壁板が一対平行に渡されている。これら側壁板のうちの内側壁板には子供達がぶら下がるための幾本もの横木を保持する溝が形成され、外側壁板によって丸棒状の横木が溝の外方向へ飛び出さないようになっている。尚、横木は溝に嵌る厚さであり、しかも、横木が回転しないように横木の両端部は角状になっている。２枚あわせの内外側壁板同士は、上方から３枚の連結パネル材で連結されている。
【００２６】
ハシゴ部の内外長手部材の四端部のうち長手方向の両端部の各々を支持する２つの土台部の各々は、連結パネル材としてのＵ字状の支持板材によって支持される。この支持板材の各々は、ハシゴ部を支える下方の各々に配された立設パネル材としての一対の脚部パネル材を連結する。尚、支持板材の高さは、同一の高さでも相違する高さでも良い。脚部パネルの支持板材から見て外側には、階段板が配されている。一対の脚部パネル材は補強のために、階段板に対して反対側に別の連結パネル材としての補強パネル材を支持板材と平行に配されても良い。この場合、補強パネル材を２枚平行に配し、この２枚の補強パネル材の上に重しを載せて、雲梯の使用時に遊具自体が動くことを阻止する工夫を行っても良い。重しは移動が容易なように水や砂を入れたポリタンクを利用することも可能である。
【００２７】
即ち、本発明の雲梯の好ましい実施態様としては、対向する内側壁板に複数本の横木を保持する溝が対向して形成され、両側に配された外側壁板が前記複数本の横木の長手方向の移動を規制する内外２枚あわせの側壁板が一対平行に渡されたハシゴ部と、このハシゴ部の対向する一対の内外側壁板の長手方向端部を各々支持する２つの土台部とを備える。１つの土台部はハシゴ部の内外側壁板の長手方向端部に連結して支持するＵ字状の支持板材とこの支持板材を立設させる一対の脚部パネル材とが支持板材と脚部パネル材とに形成された溝同士を十字に交叉させて組み合わせて連結され、支持板材の外側に階段板が配されている。
【００２８】
更に、アスレチック遊具としては、例えば、懸垂状態で傾斜を滑るスライダー様のアスレチック遊具と、合掌状に２つのスロープを配し、一方のスロープをロープを用いて上り、他方から滑る山登り様のアスレチック遊具とを挙げることができる。
【００２９】
スライダー様のアスレチック遊具では、スロープ部とこれを支持する高さの相違する２つの土台部とに分けられる。高い方の土台部は、スロープ部を各々支持する連結パネル材としてのＵ字状の第１支持板材と、スロープ部を支える下方に各々配された立設パネル材としての一対の脚部パネル材とを備える。脚部パネルの第１支持板材から見て外側には、階段部が配されている。階段部は、複数の階段板と、この階段板を階段状に両側から保持するための側板としての一対の立設パネル材と、下部に配される補強連結板とからなる。一対の脚部パネル材は補強のために、階段部に対して反対側に別の連結パネル材としての補強パネル材を支持板材と平行に配されても良い。この場合、補強パネル材を２枚平行に配し、この２枚の補強パネル材の上に重しを載せて、遊具の使用時に遊具自体が動くことを阻止する工夫を行っても良い。重しは移動が容易なように水や砂を入れたポリタンクを利用することも可能である。
【００３０】
低い方の土台部は、スロープ部を各々支持する連結パネル材としてのＵ字状の第２支持板材と、スロープ部を支える下方に各々配された立設パネル材としての一対の脚部板材とを備える。スロープ部は各々の土台部に平行に渡された長手状に立設されたスロープ材と、この平行なスロープ材の上端縁に嵌る２本の溝を備えた摺動部材とを備える。摺動部材には、捕まることのできる横長の孔が形成され、低い土台部側にはゴム製のストッパと、その反対側には高い方の土台部へ摺動部材を引き寄せるロープが備わっている。
【００３１】
即ち、本発明のアスレチック遊具の好ましい実施態様としては、スロープ部とこれを支持する高さの相違する第１及び第２土台部とを備え、傾斜して平行に渡されたスロープ材を高い方の第１土台部から低い方の第２土台部へスライダ部材にぶら下がった状態で滑り降りる遊具であって、第１土台部は、一対のスロープ材の一端部を各々支持するＵ字状の第１支持板材とこの第１支持板材を立設させる一対の脚部板材とが支持板材と脚部板材とに形成された溝同士を十字に交叉させて組み合わせて連結され、支持板材の外側に階段板が配されている。第２土台部は、一対のスロープ材の他端部を各々支持するＵ字状の第２支持板材とこの第２支持板材を立設させる一対の脚部板材とが支持板材と脚部板材とに形成された溝同士を十字に交叉させて組み合わせて連結されている。
【００３２】
更に、山登り様のアスレチック遊具では、合掌状に２つのスロープを配するために、一対の直角二等辺三角形状の立設パネルと、これらを連結する２枚のスロープ板とを備える。２枚のスロープ板の一方は他方よりも長く、他方は直角二等辺三角形の１辺と同じ長さである。長い方のスロープ板の頂上部には登りロープを結ぶ孔が２カ所穿設されている。
【００３３】
本発明のアスレチック遊具の別の好ましい実施態様としては、合掌状に２つのスロープを配した外形をした遊具であって、一対の直角二等辺三角形状の立設パネル材とこれらを連結する第１スロープ板と第２スロープ板とを備える。立設パネル材と第１及び第２スロープ板とはスロープ板のパネル面に沿って突設した突設片を立設パネル材に形成された挿入孔に前記突設片が挿入されることにより連結される。
【実施例１】
【００３４】
図１は本発明に係るジャングルジムの一実施例の構成を示す斜視図である。図２は図１に示したジャングルジムの正面壁板の構成を示す平面図である。図３は図１に示したジャングルジムの側面壁板の構成を示す平面図である。図４は図１に示したジャングルジムの仕切床板の構成を示す平面図である。図５は図１に示したジャングルジムの天板の構成を示す平面図である。図６は図１に示したジャングルジムの上段仕切壁板の構成を示す平面図である。図７は図１に示したジャングルジムの下段仕切壁板の構成を示す平面図である。図８は図１に示したジャングルジムの応用例としての隠れ家の構成を示す斜視図である。図９は図８に示した隠れ家の変形例の構成を示す斜視図である。
【００３５】
図１に示す通り、本実施例のジャングルジム１０の外観は、図２に示す２枚の正面壁板１１と図３に示す２枚の側面壁板１２とを立設パネル材とし、図４に示す仕切床板１３と図５に示す天板１４とを連結パネル材として、これを立方体形状に組み立てた構成となっている。内部は仕切床板１３によって、上下段に仕切られている。
【００３６】
上段には図６に示した長尺上段仕切壁板１５と短尺上段仕切壁板１６とに形成された溝２１，２２同士を所謂「相欠き接ぎ（「渡り欠き接ぎ」と言うところもある）」と言われる十字に交叉させて組み合わせて仕切壁が配されている。下段には上段と同様に図７に示した長尺下段仕切壁板１７と短尺下段仕切壁板１８とに形成された溝２３，２４同士を所謂「相欠き接ぎ」のように十字に交叉させて組み合わせた仕切壁が配されている。
【００３７】
このジャングルジムでは、正面壁板１１、側面壁板１２、仕切床板１３、天板１４のパネル材を１／４に区画し、少なくとも１つの区画に子供が通過可能な大きさの孔２５ａを穿設し、他の区画には孔を穿設しないか、子供が通過できない種々の形状の孔２５ｂを穿設している。上下の仕切壁板１５，１６，１７，１８は十字に組まれた各壁が前記１／４の区画に相当するため各壁毎に子供が通過可能な大きさの孔２５ａを穿設している。子供は迷路のように通過できる孔２５ａを見つけてこれらの孔２５ａをすり抜けて遊ぶこととなる。
【００３８】
このジャングルジムでは、組立と分解とが良好に行えるように一切の釘、ネジ、ボルト及び接着剤を用いないで板材同士を連結して組み立てられる。各板１１，１２，１３，１４，１５，１６，１７，１８には所謂「ほぞ」と「ほぞ孔」と呼ばれる関係としての突設片２６と挿入孔２７とが形成されており（天板１４には挿入孔２７のみが、仕切壁板１５，１６，１７，１８には突設片２６のみが形成されている）、一方の板材の突設片２６に他方の板材の挿入孔２７を挿入させて組み立てられる。
【００３９】
また、仕切床板１３については、単なる「ほぞ」と「ほぞ孔」との連結ではなく、突設片２６ａには、挿入孔２７に挿入された際に突き抜けた先端部分に突き抜けたパネル面と平行な固定用孔２８が形成されており、図１に示す通り、この固定用孔２８に略Ｔ字状のかんぬき部材１９を嵌合して連結される。
【００４０】
本実施例のジャングルジムの組み立て方の概略は次の通りである。
(1) 下段仕切壁板１７，１８を十字に組み、床に置く。
(2) 仕切壁板１７，１８の上端縁の突設片２６に仕切床板１３の挿入孔２７を合わせて仕切床板１３を載せる。
(3) 上段仕切壁板１５，１６を十字に組み、仕切床板１３の挿入孔２７に合わせて仕切壁板１５，１６を載せる。
【００４１】
(4) 仕切壁板１６，１８の側方縁の突設片２６と仕切床板１３の側方の突設片２６ａとに正面壁板１１の挿入孔２７に合わせて正面壁板１１を立設させ、突設片２６ａにかんぬき部材１９を嵌合する（２枚の正面壁板１１とも）。
(5) 仕切壁板１５，１７の側方縁の突設片２６と仕切床板１３の側方の突設片２６ａと正面壁板１１の側方の突設片２６に側面壁板１２の挿入孔２７に合わせて側面壁板１２を立設させ、突設片２６ａにかんぬき部材１９を嵌合する（２枚の側面壁板１２とも）。
(6) 仕切壁板１５，１６の上端縁の突設片２６と壁板１１，１２の上端縁の突設片２６とに合わせて天板１４を載せる。
【００４２】
本実施例のジャングルジムと同一の構成又は類似の構成であって、各板での子供が通過可能な大きさの孔２５ａや子供が通過できない種々の形状の孔２５ｂの穿設を制限することにより、子供達が隠れて遊ぶ所謂「隠れ家」として応用することもできる。図８及び図９はその具体的な構成を示したものである。
【００４３】
図８については、正面壁板１１ｂと側面壁板１２ｂとの４枚のパネル材のうち各々１／４に区画された区画について子供が通過可能な大きさの孔２５ａを全体で１つ穿設し、仕切床板１３ｂと天板１４ｂとのパネル材には各々１／４に区画された区画について各々１つの子供が通過可能な大きさの孔２５ａを穿設している。他の区画については、灯りとりの採光用孔２５ｃが各区画毎に穿設されており、子供達が内部に入っても大丈夫なようになっている。尚、仕切壁板１５，１６，１７，１８についてはジャングルジムと同様には十字に組まれた各壁が前記１／４の区画に相当するため各壁毎に子供が通過可能な大きさの孔２５ａを穿設している。
【００４４】
図９については、図１のジャングルジムや図８の隠れ家の約１／４の大きさとしたものである。即ち、図１，図８での正面壁板の高さ・奥行きが約１２０ｃｍ、幅が約１８０ｃｍであったものが、図９では天板がなく、高さが約９０ｃｍ、幅が約１８０ｃｍ、奥行きが約６０ｃｍとなったものである。図９については、一方の正面壁板１１ｃと、床仕切板１３ｃと、側面壁板１２ｃの中間位置に設置される仕切壁板１５ｃとに子供が通過可能な大きさの孔２５ａを各々１つ穿設し、他の区画については灯りとりの採光用孔２５ｃが各区画毎に穿設されている。尚、この採光用孔２５ｃは組み立てる際の持ち手としても利用することができる。
【００４５】
尚、本実施例の図１に示したジャングルジムや図８，９に示した隠れ家を構成する各々のパネルは各パネル同士を連結する連結規格（所謂「ほぞ」と「ほぞ孔」、かんぬき構造の位置・形状）を同じにしているため、ジャングルジム・隠れ家以外の遊具を組み合わせて作ることも可能である。
【００４６】
以上のように、最低２名の作業者であれば簡単に組み立てることができる。分解は組立の逆の操作を行うことにより容易に分解可能である。また、設置場所は屋外屋内を問わないが、簡単に組立分解が可能であるため、使用しない場合には分解して狭い場所で保管が可能である。このため、室内での使用に好適である。仕切床板と壁板とがかんぬき部材でしっかりと固定されるため、ぐらつきがなくなる。尚、各板に穿設された孔２５ａ，ｂ，ｃの形状は丸、四角、三角などのように変化させても良い。また、突設片２６が挿入される側の正面壁板１１及び側面壁板１２の挿入孔２７の縁部を面取りすることにより、突設片２６が挿入する際のガイドとして利用する工夫を行っても良い。
【実施例２】
【００４７】
図１０は本発明に係る滑り台の一実施例の構成を示す斜視図である。図１１は図１０に示した滑り台の滑り板部側壁板の構成を示す平面図である。図１２は図１０に示した滑り台の滑り板部の滑り板の構成を示す平面図である。図１３は図１０に示した滑り台の滑り板部の天板の構成を示す平面図である。図１４は図１０に示した滑り台の滑り板部の背板の構成を示す平面図である。図１５は図１０に示した滑り台の階段部側壁板の構成を示す平面図である。図１６は図１０に示した滑り台の階段部の他のパーツの構成を示す平面図であり、ａ図は階段板、ｂ図は階段部天板、ｃ図は補強連結板である。
【００４８】
図１０に示した通り、本実施例の滑り台３０では滑り板部３１と階段部４１とに分けられ、各々が図１４に示す背板３５に連結することにより一体となっている。滑り板部３１では図１２に示す滑り板３２を連結パネル材の１つとし、一対の図１１に示す滑り板部側壁板３３の各々に傾斜させて連結することにより構成される。本実施例の滑り台も組立と分解とが良好に行えるように一切の釘、ネジ、ボルト及び接着剤を用いないで板材同士を連結して組み立てられる。
【００４９】
側壁板３３と滑り板３２とは、所謂「落とし掛け」と言われる連結により一体とされる。詳しくは、滑り板３２の長手辺には板面に沿って縁に対して突設した突設片３６が形成され、突設片３６には下方向に開いた鉤状に加工されている。連結される側壁板３３には前記突設片３６が挿入される挿入孔３７が形成され、挿入孔３７に突設片３６を挿入して滑り板３２を挿入孔３７の長手方向に沿って滑り板３２下げることによりしっかりと固定される。
【００５０】
図１３に示す天板３４は補強の連結パネル材として滑り板部側壁板３３の各々の上部に連結される。天板３４と側壁板３３とは前述の「相欠き接ぎ」と言われる各々に形成された溝３８，３９同士を十字に交叉させて組み合わせることによりしっかりと固定される。
【００５１】
以上のような滑り板部３１は側壁板３３と背板３５とで連結される。即ち、側壁板３３と背板３５とは、前述のような「落とし掛け」と言われる連結により一体とされる。側壁板３３の背板側の端縁には縁に対して突設した突設片３６が形成され、突設片３６は下方向に開いた鉤状に加工されている。連結される背板３５には前記突設片３６が挿入される挿入孔３７が形成され、挿入孔３７に突設片３６を挿入して側壁板３３を下方に下げることによりしっかりと固定される。
【００５２】
階段部４１は、図１６のａ図に示す複数の階段板４３と、この階段板４３を階段状に両側から保持するための立設パネル材としての一対の階段部側板４２と、連結パネル材としての図１６のｂ図に示す階段部天板４４と、同じく連結パネル材として階段部の下部に配される図１６のｃ図に示す補強連結板４５とから構成されている。
【００５３】
階段板４３と側板４２とは階段板の両端部に所謂「ほぞ」と呼ばれる突設片４６が形成され、側板４２の対応位置には「ほぞ孔」と呼ばれる挿入孔４７が形成されており、突設片４６を挿入孔４７に挿入して階段板４３を固定する。尚、突設片４６が挿入される側の挿入孔４７の縁部を面取りすることにより、突設片４６が挿入する際のガイドとして利用する工夫を行っても良い。側板４２と天板４４とは前述の「相欠き接ぎ」で溝４８，４９同士を交叉させてしっかりと固定される。側板４２と補強連結板４５とは前述の「落とし掛け」でしっかりと固定される。また、組上がった階段部４１と背板３５とは、前述と同様に「落とし掛け」と言われる連結により一体とされる。
【００５４】
本実施例の滑り台の組み立て方の概略は次の通りである。
(1) 滑り板部３１を組み立てるため、滑り板３２の突設片３６に滑り板部側壁板３３の挿入孔３７を挿入し、挿入孔３７の長手方向に沿って滑り板３２下げて固定する。
(2) 滑り板３２の溝３８と天板３４の溝３９を十字に交叉させて固定する。
(3) 組み上げた滑り板部３１の側壁板３３の突設片３６を背板３５の挿入孔３７に挿入し、滑り板部３１を下方に下げることにより固定する。
(4) 階段部４１を組み立てるため、階段部側板４２の挿入孔４７に３枚の階段板４３の突設片４６を挿入する。
(5) 階段部をしっかりと固定するために、天板４４の溝４９と側板４２の溝４８とを交叉させて固定し、側板４２の挿入孔３７に補強連結板４５の下方向に開いた鉤状に加工された突設片３６を挿入し、補強連結板４５を下方に下げることにより固定する。
(6) 組上がった階段部４１の側板４２の突設片３６を背板３５の挿入孔３７に挿入し、階段部４１を下方に下げることにより固定する。
【００５５】
以上のように、最低２名の作業者であれば簡単に組み立てることができる。分解は組立の逆の操作を行うことにより容易に分解可能である。また、設置場所は屋外屋内を問わないが、簡単に組立分解が可能であるため、使用しない場合には分解して狭い場所で保管が可能である。このため、室内での使用に好適である。
【実施例３】
【００５６】
図１７は本発明に係る雲梯の一実施例の構成を示す斜視図である。図１８は図１７に示した雲梯のハシゴ部の側壁板の構成を示す平面図であり、ａ図は外側壁板、ｂ図は内側壁板である。図１９は図１７に示した雲梯のハシゴ部の横木の構成を示す平面図である。図２０は図１７に示した雲梯のハシゴ部の連結部材の構成を示す平面図である。図２１は図１７に示した雲梯の土台部の支持板の構成を示す平面図である。図２２は図１７に示した雲梯の土台部の側板の構成を示す平面図である。図２３は図１７に示した雲梯の土台部の他のパーツの構成を示す平面図であり、ａ図は下階段板、ｂ図は上階段板、ｃ図は補強連結板である。
【００５７】
図１７に示した通り、本実施例の雲梯５０ではハシゴ部５１とこれを支持する２つの土台部６１とに分けられる。本実施例の雲梯も組立と分解とが良好に行えるように一切の釘、ネジ、ボルト及び接着剤を用いないで板材同士を連結して組み立てられる。ハシゴ部５１は、立設パネル材として図１８に示す１つが内外２枚あわせの側壁板５２，５３を平行に渡す。これら側壁板５２，５３のうちの内側壁板５２には図１９に示す子供達がぶら下がる８本もの横木５４を保持する８本の溝５５が形成され、外側壁板５３によって丸棒状の横木５４は溝５５の外方向へ飛び出さないようになっている。
【００５８】
尚、横木５４は溝５５に嵌る厚さであり、しかも、図１９に示す通り、横木５４が回転しないように横木５４の両端部は角状になっている。２枚あわせの内外側壁板５２，５３同士は、図２０に示す連結パネル材５６の３枚を上方から連結されている。２枚あわせの内外側壁板５２，５３と連結パネル材５６とは前述の「相欠き接ぎ」と言われる各々に形成された溝５７，５８同士を十字に交叉させて組み合わせることによりしっかりと固定される。
【００５９】
ハシゴ部５１の内外側壁板５２，５３の四端部のうち長手方向の両端部の各々を２つの土台部６１が支持する。土台部６１は、図２１に示す連結パネル材としてのＵ字状の支持板材６２によって支持される。この支持板材６２の各々は、ハシゴ部５１を支える下方の各々に配された立設パネル材としての一対の脚部板材６３（図２２）が連結する。この支持板材６２と脚部板材６３も「相欠き接ぎ」で各々に形成された溝６７，６８同士を十字に交叉させて組み合わせることによりしっかりと固定される。
【００６０】
脚部板材６３の支持板材６２から見て外側には、図２３のａ図とｂ図に示す階段板６４ａ，ｂが配されている。階段板６４ａ，ｂと脚部板材６３とは所謂「ほぞ」と「ほぞ孔」との連結で固定される。尚、「ほぞ」が挿入される側の「ほぞ孔」の縁部を面取りすることにより、「ほぞ」が挿入する際のガイドとして利用する工夫を行っても良い。一対の脚部板材６３は補強のために、図２３のｃ図に示す階段板６４ａ，ｂに対して反対側に別の連結パネル材としての２枚の補強板材６５を支持板材６２と平行に配されている。支持板材６２と補強板材６５とは前述の「落とし掛け」でしっかりと固定される。この場合、補強板材６５を２枚平行に配し、この２枚の補強板材６５の上に水や砂を入れたポリタンク６６を重しとして載せる。これにより、雲梯５０の使用時に雲梯５０自体が動くことが阻止される。尚、支持板材６２の高さは、同一の高さでも相違する高さでも良い。
【００６１】
本実施例の雲梯の組み立て方の概略は次の通りである。
(1) 土台部６１を組み立てるため、支持板材６２に一対の脚部板材６３を十字に交叉させて固定する。脚部板材６３に階段板６４ａ，ｂを取り付け、反対側に補強板材６５を２枚落とし掛けで固定する。２台目の土台部６１も同様に組み立てる。
(3) 組み上げた２台の土台部６１の上にハシゴ部の内外側壁板５２，５３を載せて溝同士を十字に交叉させて固定する。他方の内外側壁板５２，５３も同様に組み上げる。
(4) 内側壁板５２の溝５５に横木５４を嵌める。
(5) 平行に渡された内外側壁板５２，５３の上方から連結パネル材５６を十字に交叉させて固定する。
【００６２】
以上のように、最低２名の作業者であれば簡単に組み立てることができる。分解は組立の逆の操作を行うことにより容易に分解可能である。また、設置場所は屋外屋内を問わないが、簡単に組立分解が可能であるため、使用しない場合には分解して狭い場所で保管が可能である。このため、室内での使用に好適である。
【実施例４】
【００６３】
図２４は本発明に係るスライダー様のアスレチック遊具の一実施例の構成を示す斜視図である。図２５は図２４に示した遊具のスロープ部の側壁板の構成を示す平面図である。図２６は図２４に示した遊具のスロープ部の連結部材の構成を示す平面図である。図２７は図２４に示した遊具のスロープ部のスライダ部材の構成を示す平面図である。図２８は図２４に示した遊具の土台部の支持板の構成を示す平面図であり、ａ図は第１土台部の支持板、ｂ図は第２土台部の支持板である。図２９は図２４に示した遊具の土台部の側板の構成を示す平面図であり、ａ図は第１土台部の側板、ｂ図は第２土台部の側板である。図３０は図２４に示した遊具の第１土台部の階段部の構成を示す平面図であり、ａ図は階段側板、ｂ図は階段板、ｃ図は天板、ｄ図は階段補強板である。図３１は第１土台部の補強連結板の構成を示す平面図である。
【００６４】
図２４に示した通り、本実施例のスライダー様のアスレチック遊具７０はスロープ部７１とこれを支持する高さの相違する第１及び第２土台部８１，８２とを備え、傾斜して平行に渡されたスロープを高い方の第１土台部から低い方の第２土台部へ図２７のスライダ部材７２にぶら下がった状態で滑り降りる遊具である。本実施例のアスレチック遊具も組立と分解とが良好に行えるように一切の釘、ネジ、ボルト及び接着剤を用いないで板材同士を連結して組み立てられる。
【００６５】
第１土台部８１は、スロープ部７１を各々支持する連結パネル材としてのＵ字状の第１支持板材８３と、下方に平行に各々配された立設パネル材としての一対の脚部板材８４とを備える。脚部板材８４の支持板材８３から見て外側には、階段部８５が配されている。階段部８５は、図３０に示すように３枚の階段板８６と、この階段板８６を階段状に両側から保持するための側板８７と、階段の上部に配される天板８８と、下部に配される補強連結板８９とからなる。階段板８６と側板８７とは所謂「ほぞ」と「ほぞ孔」との連結で固定される。尚、「ほぞ」が挿入される側の「ほぞ孔」の縁部を面取りすることにより、「ほぞ」が挿入する際のガイドとして利用する工夫を行っても良い。側板８７と天板８８とは「相欠き接ぎ」で各々に形成された溝同士を十字に交叉させて組み合わせる。側板８７と補強連結板８９とは前述の「落とし掛け」でしっかりと固定される。
【００６６】
支持板材８３と階段部８５とは、所謂「落とし掛け」と言われる連結により一体とされる。詳しくは、側板８７の支持板材８３側の端縁には板面に沿って縁に対して突設した突設片９０が形成され、突設片９０には下方向に開いた鉤状に加工されている。連結される支持板材８３には前記突設片９０が挿入される挿入孔９１が形成され、挿入孔９１に突設片９０を挿入して下方に下げることによりしっかりと固定される。
【００６７】
一対の脚部板材８４は補強のために、階段部８５に対して反対側に別の連結パネル材としての２枚の補強板材９２を支持板材８３と平行に配されている。脚部板材８４と２枚の補強板材９２とは前述の「落とし掛け」でしっかりと固定される。この場合、補強板材９２を２枚平行に配し、この２枚の補強板材９２の上に水や砂を入れたポリタンク９３を重しとして載せる。これにより、遊具７０の使用時に遊具７０自体が動くことが阻止される。
【００６８】
第２土台部８２は、スロープ部７１を各々支持する連結パネル材としてのＵ字状の第２支持板材９４と、下方に平行に各々配された立設パネル材としての一対の脚部板材９５とを備える。支持板材９４と一対の脚部板材９５とは「相欠き接ぎ」で各々に形成された溝同士を十字に交叉させて組み合わせる。
【００６９】
スロープ部７１は第１第２各々の土台部８１，８２に平行に渡された長手状に立設されたスロープ材７３と、この平行なスロープ材７３の上端縁に嵌る２本の溝７４を備えたスライダ部材７２とを備える。スライダ部材７２には、子供が捕まってぶらさがることのできる横長の孔７５が形成され、低い第２土台部８２側にはゴム製のストッパ７６と、その反対側には高い第１土台部８１へスライダ部材７２を引き寄せるロープ７７が備わっている。また、第１土台部８１側のスロープ材７３の上縁には補強のための連結部材７８が「相欠き接ぎ」で嵌っている。
【００７０】
本実施例のスライダ様のアスレチック遊具の組み立て方の概略は次の通りである。
(1) 第１土台部８１を組み立てるために、支持板材８３と一対の脚部板材８４とを十字に交叉させて固定する。第２土台部８２も同様に第２支持板材９４と一対の脚部板材９５とを十字に交叉させて固定する。
(2) 階段板８６と側板８７との「ほぞ」と「ほぞ孔」とを連結し、側板８７と天板８８とを「相欠き接ぎ」で連結し、側板８７と補強連結板８９とを「落とし掛け」で連結して、階段部８５を組み立てる。
(3) 第１土台部８１の支持板材８３に階段部８５を「落とし掛け」で取り付け、反対側の脚部板材８４に補強板材９２を２枚落とし掛けで固定する。
(4) 組み上げた第１及び第２土台部８１，８２の上にスロープ部７１のスロープ材７３を載せて溝同士を十字に交叉させて固定する。
(5) 平行に渡されたスロープ材７３の上方から連結部材７８を十字に交叉させて固定する。スライダ部材７２をスロープ材７３に装着する。
【００７１】
以上のように、最低２名の作業者であれば簡単に組み立てることができる。分解は組立の逆の操作を行うことにより容易に分解可能である。また、設置場所は屋外屋内を問わないが、簡単に組立分解が可能であるため、使用しない場合には分解して狭い場所で保管が可能である。このため、室内での使用に好適である。
【実施例５】
【００７２】
図３２は本発明に係る山登り様のアスレチック遊具の一実施例の構成を示す斜視図である。図３３は図３２に示した遊具の立設板の構成を示す平面図である。図３４は図３２に示した遊具の第１スロープ板の構成を示す平面図である。図３５は図３２に示した遊具の第２スロープ板の構成を示す平面図である。図３６は図３２の平面図である。
【００７３】
図３２に示した通り、本実施例の山登り様のアスレチック遊具１００は、合掌状に２つのスロープを配した外形をしている。本実施例のアスレチック遊具も組立と分解とが良好に行えるように一切の釘、ネジ、ボルト及び接着剤を用いないで板材同士を連結して組み立てられる。図３３に示すように一対の直角二等辺三角形状の立設パネル材１０１と、これらを連結する図３４に示す第１スロープ板１０２と図３５に示す第２スロープ板１０３とを備える。立設パネル材１０１とスロープ板１０２，１０３とは所謂「ほぞ」と「ほぞ孔」との連結で固定される。尚、「ほぞ」が挿入される側の「ほぞ孔」の縁部を面取りすることにより、「ほぞ」が挿入する際のガイドとして利用する工夫を行っても良い。
【００７４】
即ち、立設パネル板１０１の直行する辺同士には突設片１０４が形成され、スロープ板１０２，１０３の対応位置には挿入孔１０５が形成されており、突設片１０４を挿入孔１０５に挿入して固定する。尚、突設片１０４には第２スロープ板１０３の先端辺にも形成され、対応する第１スロープ板１０２の上部には挿入孔１０５が形成されている。
【００７５】
図３６に示す通り、これらの突設片１０４の長さは挿入孔１０５が形成されているパネル材の厚さと同じか若干短く形成され、組み立てた際にスロープ面に突設片１０４が突出しないようになっている。
【００７６】
第１スロープ板１０２は第２スロープ板１０３よりも長く、第２スロープ板１０３は直角二等辺三角形の１辺と同じ長さである。第１スロープ板１０２の頂上部には登りロープ１０６を結ぶ孔１０７が２カ所穿設されている。
【００７７】
本実施例の山登り様のアスレチック遊具の組み立て方の概略は次の通りである。
(1) 一対の立設パネル１０１と第２スロープ板１０３とを固定する。
(2) 立設パネル１０１と第２スロープ板１０３とに第１スロープ板１０２を固定する。
【図面の簡単な説明】
【００７８】
【図１】本発明に係るジャングルジムの一実施例の構成を示す斜視図である。
【図２】図１に示したジャングルジムの正面壁板の構成を示す平面図である。
【図３】図１に示したジャングルジムの側面壁板の構成を示す平面図である。
【図４】図１に示したジャングルジムの仕切床板の構成を示す平面図である。
【図５】図１に示したジャングルジムの天板の構成を示す平面図である。
【図６】図１に示したジャングルジムの上段仕切壁板の構成を示す平面図である。
【図７】図１に示したジャングルジムの下段仕切壁板の構成を示す平面図である。
【図８】図１に示したジャングルジムの応用例としての隠れ家の構成を示す斜視図である。
【図９】図８に示した隠れ家の変形例の構成を示す斜視図である。
【００７９】
【図１０】本発明に係る滑り台の一実施例の構成を示す斜視図である。
【図１１】図１０に示した滑り台の滑り板部の側壁板の構成を示す平面図である。
【図１２】図１０に示した滑り台の滑り板部の滑り板の構成を示す平面図である。
【図１３】図１０に示した滑り台の滑り板部の天板の構成を示す平面図である。
【図１４】図１０に示した滑り台の滑り板部の背板の構成を示す平面図である。
【図１５】図１０に示した滑り台の階段部側壁板の構成を示す平面図である。
【図１６】図１０に示した滑り台の階段部の他のパーツの構成を示す平面図であり、ａ図は階段板、ｂ図は階段部天板、ｃ図は補強連結板である。
【００８０】
【図１７】本発明に係る雲梯の一実施例の構成を示す斜視図である。
【図１８】図１７に示した雲梯のハシゴ部の側壁板の構成を示す平面図であり、ａ図は外側壁板、ｂ図は内側壁板である。
【図１９】図１７に示した雲梯のハシゴ部の横木の構成を示す平面図である。
【図２０】図１７に示した雲梯のハシゴ部の連結部材の構成を示す平面図である。
【図２１】図１７に示した雲梯の土台部の支持板の構成を示す平面図である。
【図２２】図１７に示した雲梯の土台部の側板の構成を示す平面図である。
【図２３】図１７に示した雲梯の土台部の他のパーツの構成を示す平面図であり、ａ図は下階段板、ｂ図は上階段板、ｃ図は補強連結板である。
【００８１】
【図２４】本発明に係るスライダー様のアスレチック遊具の一実施例の構成を示す斜視図である。
【図２５】図２４に示した遊具のスロープ部の側壁板の構成を示す平面図である。
【図２６】図２４に示した遊具のスロープ部の連結部材の構成を示す平面図である。
【図２７】図２４に示した遊具のスロープ部のスライダ部材の構成を示す平面図である。
【図２８】図２４に示した遊具の土台部の支持板の構成を示す平面図であり、ａ図は第１土台部の支持板、ｂ図は第２土台部の支持板である。
【図２９】図２４に示した遊具の土台部の側板の構成を示す平面図であり、ａ図は第１土台部の側板、ｂ図は第２土台部の側板である。
【図３０】図２４に示した遊具の第１土台部の階段部の構成を示す平面図であり、ａ図は階段側板、ｂ図は階段板、ｃ図は階段補強板である。
【図３１】第１土台部の補強連結板の構成を示す平面図である。
【００８２】
【図３２】本発明に係る山登り様のアスレチック遊具の一実施例の構成を示す斜視図である。
【図３３】図３２に示した遊具の立設板の構成を示す平面図である。
【図３４】図３２に示した遊具の第１スロープ板の構成を示す平面図である。
【図３５】図３２に示した遊具の第２スロープ板の構成を示す平面図である。
【図３６】図３２の平面図である。
【符号の説明】
【００８３】
１０…ジャングルジム、
１１…正面壁板、
１１ｂ…正面壁板、
１１ｃ…正面壁板、
１２…側面壁板、
１２ｂ…側面壁板、
１２ｃ…側面壁板、
１３…仕切床板、
１３ｂ…仕切床板、
１３ｃ…仕切床板、
１４…天板、
１４ｂ…天板、
１５…長尺上段仕切壁板、
１５ｃ…床仕切壁板、
１６…短尺上段仕切壁板、
１７…長尺下段仕切壁板、
１８…短尺下段仕切壁板、
１９…かんぬき部材、
２１…溝、
２２…溝、
２３…溝、
２４…溝、
２５ａ…子供が通過可能な大きさの孔、
２５ｂ…子供が通過できない種々の形状の孔、
２５ｃ…採光用孔、
２６…突設片、
２７…挿入孔、
２８…固定用孔、
【００８４】
３０…滑り台、
３１…滑り板部、
３２…滑り板、
３３…滑り板部側壁板、
３５…背板、
３６…突設片、
３７…挿入孔、
３８…溝、
３９…溝、
４１…階段部、
４２…階段部側板、
４３…階段板、
４４…階段部天板、
４５…補強連結板、
４６…突設片、
４７…挿入孔、
４８…溝、
４９…溝、
【００８５】
５０…雲梯、
５１…ハシゴ部、
５２…内側壁板、
５３…外側壁板、
５４…横木、
５５…溝、
５６…連結パネル材、
５７…溝、
５８…溝、
６１…土台部、
６２…支持板材、
６３…脚部板材、
６７…溝、
６８…溝、
６４ａ…階段板、
６４ｂ…階段板、
６５…補強板材、
６６…ポリタンク、
【００８６】
７０…スライダー様のアスレチック遊具、
７１…スロープ部、
７２…スライダ部材、
７３…スロープ材、
７４…溝、
７５…横長の孔、
７６…ストッパ、
７７…ロープ、
７８…連結部材、
８１…第１土台部、
８２…第２土台部、
８３…第１支持板材、
８４…脚部板材、
８５…階段部、
８６…階段板、
８７…側板、
８８…天板、
８９…補強連結板、
９０…突設片、
９１…挿入孔、
９２…補強板材、
９３…ポリタンク、
９４…第２支持板材、
９５…脚部板材、
【００８７】
１００…山登り様のアスレチック遊具、
１０１…立設パネル材、
１０２…第１スロープ板、
１０３…第２スロープ板、
１０４…突設片、
１０５…挿入孔、
１０６…登りロープ、
１０７…孔、
【図１】
2005168813.tif 000003
【図２】
2005168813.tif 000004
【図３】
2005168813.tif 000005
【図４】
2005168813.tif 000006
【図５】
2005168813.tif 000007
【図６】
2005168813.tif 000008
【図７】
2005168813.tif 000009
【図８】
2005168813.tif 000010
【図９】
2005168813.tif 000011
【図１０】
2005168813.tif 000012
【図１１】
2005168813.tif 000013
【図１２】
2005168813.tif 000014
【図１３】
2005168813.tif 000015
【図１４】
2005168813.tif 000016
【図１５】
2005168813.tif 000017
【図１６】
2005168813.tif 000018
【図１７】
2005168813.tif 000019
【図１８】
2005168813.tif 000020
【図１９】
2005168813.tif 000021
【図２０】
2005168813.tif 000022
【図２１】
2005168813.tif 000023
【図２２】
2005168813.tif 000024
【図２３】
2005168813.tif 000025
【図２４】
2005168813.tif 000026
【図２５】
2005168813.tif 000027
【図２６】
2005168813.tif 000028
【図２７】
2005168813.tif 000029
【図２８】
2005168813.tif 000030
【図２９】
2005168813.tif 000031
【図３０】
2005168813.tif 000032
【図３１】
2005168813.tif 000033
【図３２】
2005168813.tif 000034
【図３３】
2005168813.tif 000035
【図３４】
2005168813.tif 000036
【図３５】
2005168813.tif 000037
【図３６】
2005168813.tif 000038
【手続補正書】
【提出日】平成16年12月10日(2004.12.10)
【手続補正１】
【補正対象書類名】明細書
【補正対象項目名】００７７
【補正方法】変更
【補正の内容】
【００７７】
本実施例の山登り様のアスレチック遊具の組み立て方の概略は次の通りである。
(1) 一対の立設パネル１０１と第２スロープ板１０３とを固定する。
(2) 立設パネル１０１と第２スロープ板１０３とに第１スロープ板１０２を固定する。
［実施例６］
図３７は本発明に係る滑り台の別の実施例の構成を示す斜視図である。図３８は図３７に示した滑り台の滑り板部の側壁板の構成を示す平面図である。図３９は図３７に示した滑り台の滑り板部の滑り板の構成を示す平面図である。図４０は図３７に示した滑り台の滑り板部が取付けられるジャングルジムの側面壁板の構成を示す平面図である。図３７に示す通り、この滑り台１２０は図８と同様のジャングルジム１３０に滑り板部１２１を取り付けたものである。
従って、本実施例の滑り台の組み立て方の概略は次の通りである。
(1) ジャングルジム１３０の一つの側面壁板を図４０の側面壁板１３１とする以外はジャングルジムの組み立て方と同じである。
(2) ジャングルジム１３０が組み上がった後、ジャングルジム１３０の側面壁板１３１の中央の挿入孔１３２と両側端との間に形成された各々縦方向に４つ穿設された滑り台用挿入孔１３３に図３８に示した滑り板部１２１の側壁板１２２の下方向に開いた鉤状に加工された突設片１２３を挿入し、挿入孔１３３の長手方向に沿って側壁板１２２を下げて固定する。
(3) 各々の側壁板１２２を取付けた後で図３９に示した滑り板部１２１の滑り板１２５を側壁板１２２の傾斜辺に突設した突設片１２４が形成され、滑り板１２５の対応位置に穿設された挿入孔１２６に装入して固定する。
以上のように、最低２名の作業者であれば簡単に組み立てることができる。分解は組立の逆の操作を行うことにより容易に分解可能である。また、設置場所は屋外屋内を問わないが、簡単に組立分解が可能であるため、使用しない場合には分解して狭い場所で保管が可能である。このため、室内での使用に好適である。
［実施例７］
図４１は本発明に係る滑り台の更に別の実施例の構成を示す斜視図である。図４２は図４１に示した滑り台の滑り板部の側壁板の構成を示す平面図である。図４３は図４１に示した滑り台の滑り板部の滑り板の構成を示す平面図である。図４４は図４１に示した滑り台の滑り板部が取付けられるジャングルジム１５０の側面壁板の構成を示す平面図である。図４１に示す通り、この滑り台１４０は図９と同様のジャングルジムに滑り板部１４１を取り付けたものである。
従って、本実施例の滑り台１４０の組み立て方の概略は次の通りである。
(1) ジャングルジム１５０の一つの側面壁板を図４４の側面壁板１５１とする以外はジャングルジムの組み立て方と同じである。
(2) ジャングルジム１５０が組み上がった後、ジャングルジム１５０の側面壁板１５１の中央の挿入孔１５２の左寄りに形成された各々縦方向に３つ穿設された滑り台用挿入孔１５３に図４２に示した滑り板部１４１の側壁板１４２の下方向に開いた鉤状に加工された突設片１４３を挿入し、挿入孔１５３の長手方向に沿って側壁板１４２を下げて固定する。
(3) 各々の側壁板１４２を取付けた後で図４３に示した滑り板部１４１の滑り板１４５を側壁板１４２の傾斜辺に突設した突設片１４４が形成され、滑り板１４５の対応位置に穿設された挿入孔１４６に装入して固定する。
以上のように、最低２名の作業者であれば簡単に組み立てることができる。分解は組立の逆の操作を行うことにより容易に分解可能である。また、設置場所は屋外屋内を問わないが、簡単に組立分解が可能であるため、使用しない場合には分解して狭い場所で保管が可能である。このため、室内での使用に好適である。
【手続補正２】
【補正対象書類名】明細書
【補正対象項目名】００８２
【補正方法】変更
【補正の内容】
【００８２】
【図３２】本発明に係る山登り様のアスレチック遊具の一実施例の構成を示す斜視図である。
【図３３】図３２に示した遊具の立設板の構成を示す平面図である。
【図３４】図３２に示した遊具の第１スロープ板の構成を示す平面図である。
【図３５】図３２に示した遊具の第２スロープ板の構成を示す平面図である。
【図３６】図３２の平面図である。
【図３７】本発明に係る滑り台の別の実施例の構成を示す斜視図である。
【図３８】図３７に示した滑り台の滑り板部の側壁板の構成を示す平面図である。
【図３９】図３７に示した滑り台の滑り板部の滑り板の構成を示す平面図である。
【図４０】図３７に示した滑り台の滑り板部が取付けられるジャングルジムの側面壁板の構成を示す平面図である。
【図４１】本発明に係る滑り台の更に別の実施例の構成を示す斜視図である。
【図４２】図４１に示した滑り台の滑り板部の側壁板の構成を示す平面図である。
【図４３】図４１に示した滑り台の滑り板部の滑り板の構成を示す平面図である。
【図４４】図４１に示した滑り台の滑り板部が取付けられるジャングルジムの側面壁板の構成を示す平面図である。
【手続補正３】
【補正対象書類名】明細書
【補正対象項目名】００８７
【補正方法】変更
【補正の内容】
【００８７】
１００…山登り様のアスレチック遊具、
１０１…立設パネル材、
１０２…第１スロープ板、
１０３…第２スロープ板、
１０４…突設片、
１０５…挿入孔、
１０６…登りロープ、
１０７…孔、
１２０…滑り台、
１２１…滑り板部、
１２２…側壁板、
１２３…突設片、
１２４…突設片、
１２５…滑り板、
１２６…挿入孔、
１３０…ジャングルジム、
１３１…側面壁板、
１３２…挿入孔、
１３３…滑り台用挿入孔、
１４０…滑り台、
１４１…滑り板部、
１４２…側壁板、
１４３…突設片、
１４４…突設片、
１４５…滑り板、
１４６…挿入孔、
１５０…ジャングルジム、
１５１…側面壁板、
１５２…挿入孔、
１５３…滑り台用挿入孔、
【手続補正４】
【補正対象書類名】図面
【補正対象項目名】図３７
【補正方法】追加
【補正の内容】
【図３７】
2005168813.tif 000039
【手続補正５】
【補正対象書類名】図面
【補正対象項目名】図３８
【補正方法】追加
【補正の内容】
【図３８】
2005168813.tif 000040
【手続補正６】
【補正対象書類名】図面
【補正対象項目名】図３９
【補正方法】追加
【補正の内容】
【図３９】
2005168813.tif 000041
【手続補正７】
【補正対象書類名】図面
【補正対象項目名】図４０
【補正方法】追加
【補正の内容】
【図４０】
2005168813.tif 000042
【手続補正８】
【補正対象書類名】図面
【補正対象項目名】図４１
【補正方法】追加
【補正の内容】
【図４１】
2005168813.tif 000043
【手続補正９】
【補正対象書類名】図面
【補正対象項目名】図４２
【補正方法】追加
【補正の内容】
【図４２】
2005168813.tif 000044
【手続補正１０】
【補正対象書類名】図面
【補正対象項目名】図４３
【補正方法】追加
【補正の内容】
【図４３】
2005168813.tif 000045
【手続補正１１】
【補正対象書類名】図面
【補正対象項目名】図４４
【補正方法】追加
【補正の内容】
【図４４】
2005168813.tif 000046